(57)【要約】【課題】従来より、直方体型石詰籠を垂直壁状または階段形状に積み上げて使用してきたが、景観、構造、植生等の観点から、階段形状よりもスロープ形状を評価する向きが多い。更に又、直方体型石詰籠を長い区間に敷設する場合に於ける、連結手間、ズレ発生、中網重複を排除するため、長尺ものが求められている。本発明の課題とするところは傾斜型と長尺の要望を同時に解決するため、長尺の傾斜型石詰籠を提供しようとするものである。【解決手段】長尺の亀甲金網を工事線上に重ねて展開し、両側をＵ字状に折り曲げて前、後、底網として長尺傾斜型石詰籠の胴網とする。別の亀甲金網から台形中間網を製作し、上記本体に所定間隔で結合して多数の石詰空間を形成する。【選択図】　図４
2004132162.tif 000002
【特許請求の範囲】
【請求項１】
▲イ▼所定仕様の亀甲金網と台形中網と結合具からなり、
▲ロ▼長尺の亀甲金網を敷設地面に展開し、列線の「ねじり」を「かど」にしてＵ字状に折り曲げ、前網、底網及び後網を形成して一体構造の胴網とし、胴網に所定間隔で台形中網を配置し、結合具を介して結合し、
▲ハ▼台形中網に当接した前網が、後ろ寄りに傾斜した姿で、多数の石詰空間を形成することを特徴とする長尺傾斜型石詰籠。
【請求項２】
台形中網を胴網両端部の縁から内側に所定間隔を置いて配設して、胴網両端部夫々に張出部を保持することを特徴とする［請求項１］記載の長尺傾斜型石詰籠。
【発明の詳細な説明】
【０００１】
【発明の属する技術分野】本発明は土留工等に使用される石詰籠に関する。
【０００２】
【従来の技術】従来の、菱形金網製「ふとん籠」は直方体であって、垂直壁状或いは階段状に積み上げて使用されてきたが、景観、構造、流木、植生等の観点から、スロープ形状をより評価する場合が多い。併しながら菱形金網で傾斜型籠体を製作するのは、手間が掛かり過ぎて実務上、不可である。そもそも菱形金網は強度の観点からいっても軟弱であって傾斜型籠体の製作には不向きである。
【０００３】
また、従来の菱形金網製「ふとん籠」の長さは４ｍ止まりであって、長い区間に敷設する場合には、隣接の籠同士を連結する手間を削減するため、また籠間のズレ発生の構造的原因を排除するため、また中網の重複を排除するため、長尺ものが求められている。傾斜型石詰籠に関しても事情は同じであって長尺ものが求められる。
【０００４】
【発明が解決しようとする課題】本発明の課題とするところは、石詰籠に関する傾斜型と長尺の要望を同時に解決するため、「長尺で傾斜型の石詰籠」を提供しようとするものである。更に、本発明に係る「長尺で傾斜型の石詰籠」を連設する場合、直線型連結に加えて、折れ線型連結にも対応できる連結方法を提供して、「長尺で傾斜型の石詰籠」（以後、長傾籠と略称する。）の実施に万全を期したい。
【０００５】
【課題を解決するための手段】上記目的を達成するために次の手段を講じる。先ず長傾籠の胴網の製作に関して。
（イ）長傾籠の胴網は所定仕様の亀甲金網で形成する。亀甲金網は列線の「ねじり」を「かど」にすれば容易にＵ字状に折曲される。更に亀甲金網は剛性大であり、折曲部分は自立しＵ字状形状を保持するので、前網、底網、後網からなる胴網が効率良く形成される。
（ロ）この胴網は長手方向に於いて一体構造であるから、従来の菱形金網製ふとん籠工に現われた「籠同士の連結作業」「ズレ」「側面網の重複」は無くなる。
【０００６】
【特許文献１】特開平１１−１７２６４８　長尺石詰籠
【０００７】
台形中網の製作に関して次の手段を講じる。
（イ）長傾籠用台形中網は所定仕様の亀甲金網で形成する。長方形に切断した亀甲金網に於いて、上辺の網目から斜め位置に相接する網目を、逐一通過して下辺の網目に至る斜線を切断線として、台形の傾斜側辺を形成する。
（ロ）台形中網は上辺＜下辺とし、傾斜側辺で籠の前面を構成する。長傾籠の前網は台形中網の勾配で沿って後寄りに傾斜する。傾斜の変化には網目の縦横比を変化させて対応するのが基本であるが、階段状にずらして積み上げる方法や、直方体石詰籠と傾斜型を併用する方法や、敷設地面に傾斜を付けて対応する。
（ハ）次に胴網の所定位置に台形中網を配置し、結合具を介して結合して上面開放の石詰空間を形成し。石詰め後、蓋網を被着すれば長傾篭の製作は完了する。
【０００８】
【技術文献２】特開２００２−１０８５７０　傾斜型石詰籠
【０００９】
長傾籠の直線型連結に関して次の手段を講じる。
（イ）台形中網を、胴網両端部の縁から内側に所定間隔を置いて配設して、胴編両端部に夫々張出部を留保する。
（ロ）長傾籠の連結に当たっては、対向する張出部の縁同士を、重ね合わせ、結合具を介して結合する。連結部には両方の張出部を併せて１個の石詰空間が形成される。石詰め後、蓋網を被着すれば長傾篭の連結は完了する。
（ハ）連結部のズレや中網の重複は最早見られない。
【００１０】
長傾籠の折れ線型連結に関して次の手段を講じる。
（イ）折れ線型連結に於いては、相連結する長傾籠底面間に空隙が生じるので、亀甲金網製底面連結網を用意する。網目は強固なので、長傾籠の底面の縁を、底面補填網の任意の網目に、即ち任意角度で結合することが出来る。
（ロ）前面及び背面に生じる空隙の補填用に亀甲金網製連結網を用意する。列線の「ねじり」を「かど」にすれば容易に折曲出来るので、幅調整は自在である。更に［図８］に示すように前面連結網は２部材からなる合成構造にして形状変化も可能にする。
（ハ）長傾籠と連結網の当接部を、結合具を介して結合すれば、石詰空間が形成され、石詰め後、蓋網を被着すれば長傾篭の連結は完了する。
【００１１】
【特許文献３】特開２００２−１４４６７６　曲線部の籠マット工
【００１２】
【発明の実施の形態】以下、本発明の実施の形態を図面により説明する。
［図１］は本発明の長傾籠用亀甲金網２の一例を示す平面図である。本例の亀甲金網２の仕様は、列線２１は表面処理鋼線で、線径は４ｍｍ、網目３は（左右相対向するねじりの間隔）×（上下相対向する頂角の距離）＝８０×１００ｍｍである。略２ｍ３００幅（＝８０ｍｍ×２８．５目）に編んだ亀甲金網２を長尺のままで敷地に展開し、「ねじり」２２を逐次通過する折曲線２３を「かど」にしてＵ字状に折り曲げる。コイル状金網の長さは機械によるが最大５０ｍで、カットして輸送する場合は８ｍが一般である。
【００１３】
［図２］は本発明に係る台形中網用亀甲金網２を示す平面図である。本例に於いて台形中網４を形成する亀甲金網２は、［図１］と同じ仕様で、長さ５００ｍｍに切断した長方形のものである。上辺の網目３から斜め位置に相接する網目３１を、逐一通過して下辺の網目３２に至る斜線を切断線５として、台形の傾斜側辺を形成する。切断線５が亀甲金網２の長方形の中心網目３３を通過すれば、分割されて形成された二つの台形は合同であり、製作は効率的である。
【００１４】
［図３］は本発明の長傾籠１の胴網１１を形成する態様を示す斜視図である。［図１］に記した仕様の亀甲金網２を長尺のまま敷地に展開し、折曲線２３を折り曲げて、列線の「ねじり」を「かど」にして断面Ｕ字状を形成する。本例では網目３が８ツの前網７、６ツ半の後網８と１６コの底網９とを形成する。本亀甲金網２は４ｍｍ列線２１で剛性大であるから、折曲された形状は保持される。胴網１１は長手方向に於いて一体構造であるから、従来のふとん籠工に現われた籠同士の連結作業やズレ、中網の重複は無くなった。
【００１５】
［図４］は本発明の長傾籠１の組み立て態様を示す斜視図である。［図２］に示した台形中網４を、傾斜辺を前面にして、胴網１１の所定位置に、例えば１ｍ間隔で配置する。次に、結合金具例えば螺旋状鉄線を介して、台形中網４の縁を前網７、後網８及び底網９と結合すれば組み立ては完了、複数の石詰空間１３が形成される。前網７は台形中網４の傾斜辺に結合しているので、後ろ寄りに傾斜していることを特徴とする。
【００１６】
［図５］は本発明の長傾籠１の製作完了態様を示す斜視図である。石詰空間１３に石詰め終了後、蓋網１０を被せ結合具１２を介して前網７と後網８の上縁に結合すれば、長傾籠の製作は完了する。
【００１７】
［図６］は本発明の長傾籠１、１を直線型連結する態様を示す斜視図である。胴網１１の両端部に於いて、台形中網４を胴網１１の縁から離して配設して、張出部１５、１５を留保し、縁同士を一目程度重ね合わして結合する。連結部に於いては両者の張出部１５、１５を併せて１個の石詰空間１３が形成される。石詰後、蓋網１０を被着して連結は完了する。かくて連結作業の能率化と工事費の削減が実現される。
【００１８】
［図７］は本発明の長傾籠１、１を折れ線型連結する態様を示す平面図である。
（イ）折れ線状に配置された長傾籠１、１の間隙に、亀甲金網２からなる適宜大きさの連結網６を敷き、長傾籠１、１の底網９、９の縁を、結合具１２を介して連結網６に結合する。連結網６の亀甲網目３は頑丈なので、任意の網目に結合出来る。従って底網９、９は任意方向の折れ線に結合出来る。
（ロ）次に長傾籠１、１の連結部前面及び背面の間隙を、亀甲金網２からなる適宜大きさの連結網６１、６２で補完すれば、連結部は上面開放の石詰空間１３となる。石詰後、蓋網１０を被着して連結は完了する。
【００１９】
［図８］は本発明の長傾籠１の折れ線型連結に係る前面連結網６１の他の例を示す説明図である。この例では、前面連結網６１は２枚の長方形の亀甲金網２、２で合成され、結合具１２を介して結合される。斜線結合に依って台形に形状修正出来る。また夫々の亀甲金網２、２に関して、列線の「ねじり」を「かど」にすれば容易に折り曲げられるので、側縁の折曲に依って幅を自在に調整出来る。かくて本例の前面連結網６１を「図７］の折れ線型連結の前面間隙に嵌着出来る。
【００２０】
【発明の効果】本発明の長傾籠を使用すれば、元々、景観、構造、流木、植生等々の観点から評価されて来たスロープ形状の石詰籠工は、長尺化により更なるメリットを重ねるようになった。即ち従来の「ふとん籠」工に現われた籠同士の連結作業と中網の重複、連結場所に現われた「ズレ」の構造的原因は無くなった。また更に本発明に係る長傾籠の連結工法の開発は長傾籠の実施を支援するものである。尚、長傾籠の地網とした亀甲金網は強度、屈撓性に関して、菱形金網より格段に優っている。本発明の長傾籠は、地網の長所を十分保持しながらスロープ形状と長尺籠の長所を兼備したものである。
【図面の簡単な説明】
【図１】は本発明の長傾籠用亀甲金網の一例を示す平面図。
【図２】は本発明に係る台形側面網用亀甲金網の一例を示す平面図。
【図３】は本発明の長傾籠用亀甲金網を折曲する態様を示す斜視図。
【図４】は本発明の長傾籠の組み立て態様を示す斜視図。
【図５】は本発明の長傾籠の製作完了態様を示す斜視図。
【図６】は本発明の長傾籠を連設する態様を示す斜視図である。
【図７】は本発明の長傾籠を折れ線型連設する態様を示す斜視図である
【図８】は本発明の長傾籠に係る他の連結網の態様を示す説明図である。
【符号の説明】
１　　　長傾籠
１１　　胴網
１４　　胴網張出部
２　　　亀甲金網
２１　　列線
２２　　列線のねじり
２３　　折曲線
３、３１、３２、３３　　網目
４　　　台形中網
５　　　切断線
６、６１、６２、６３　　連結網
７　　　前網
８　　　後網
９　　　底網
１０　　蓋網
１２　　結合具
１３　　石詰空間
【図１】
2004132162.tif 000003
【図２】
2004132162.tif 000004
【図３】
2004132162.tif 000005
【図４】
2004132162.tif 000006
【図５】
2004132162.tif 000007
【図６】
2004132162.tif 000008
【図７】
2004132162.tif 000009
【図８】
2004132162.tif 000010